(57)【要約】【課題】ルーツブロワにおいて、簡単な構造でもって、特にギヤ側軸受２２及びギヤ機構２５を効率よく冷却できるようにして、構造の簡単化及び冷却性の向上を両立させる。【解決手段】ルーツブロワＡの吸込口に接続されている吸込消音器３５の吸込用開口部４５に外部から吸い込まれる吸入空気流を利用し、その空気流によってギヤ側軸受ケース１５ないしギヤケース２７を冷却する。【選択図】図１
2006329162.tif 000002
【特許請求の範囲】
【請求項１】
入力側及びギヤ側軸受ケースを有するケーシング内に、該軸受ケースにおいて入力側及びギヤ側軸受により回転可能に支持された１対のロータが互いに噛み合わされて収容され、
上記ケーシングのギヤ側軸受ケースに、上記両ロータを互いに反対方向に同期回転させるギヤ機構を収容するギヤケースが取り付けられ、
上記１対のロータの反対方向の同期回転により、空気を空気吸込口からケーシング内に吸い込んで空気吐出口からケーシング外に吐出するルーツ型回転機械において、
上記空気吸込口には吸込消音器が接続され、
上記吸込消音器へ空気を吸い込むための吸込用開口部は、該吸込用開口部に吸い込まれる吸入空気流が上記ギヤ側軸受ケースないし上記ギヤケースの周りを通るように配置されていることを特徴とするルーツ型回転機械。
【請求項２】
請求項１のルーツ型回転機械において、
吸込用開口部は、消音器の吸込口であることを特徴とするルーツ型回転機械。
【請求項３】
請求項１のルーツ型回転機械において、
消音器の吸込口に、ギヤ側軸受ケースないしギヤケースを隙間をあけて覆うように吸込カバーが接続され、
吸込用開口部は、上記吸込カバーの端部であることを特徴とするルーツ型回転機械。
【請求項４】
請求項１〜３のいずれか１つのルーツ型回転機械において、
消音器がケーシングの上方に配置され、
吸込用開口部は、ギヤ側軸受ケースないしギヤケースの上方に配置されて、空気を下方より吸い込むように構成されていることを特徴とするルーツ型回転機械。
【発明の詳細な説明】
【技術分野】
【０００１】
本発明は、容積式のルーツ型回転機械に関し、特に、ロータの軸受部を冷却する冷却構造に関するものである。本発明では、ルーツ型回転機械とは、送風機としてのルーツブロワだけでなく空気の圧縮を行う圧縮機をも含む意味で用いる。
【背景技術】
【０００２】
一般に、ルーツ型回転機械の一種であるルーツブロワでは、ロータを軸支する軸受は転がり摩擦熱を受けてその温度が上昇する。また、空気の吐出圧力の上昇によって圧縮時の空気の温度が上昇すると、それに伴いブロアの温度が上昇し、ロータの熱膨張によりロータ同士やケーシングとの接触を招くばかりでなく、軸受への伝熱によってその温度が上昇する。さらに、１対のロータは各々の軸に設けたタイミングギヤの噛合により駆動連結されていて、一方のロータをモータで回転駆動させ、この回転力を他方のロータにタイミングギヤを介して伝達して、両ロータを互いに反対方向に同期回転させるので、ギヤの噛合回転による噛み合い摩擦熱により、ロータを軸支するギヤ側軸受の温度がさらに上昇する。こうした軸受の温度上昇があると、グリース等の潤滑剤の劣化等を招き、その軸受の寿命が低下するという問題がある。そして、この軸受の温度上昇は、ブロワの回転速度が高くなるに連れて大きくなるので、この過度の昇温を避けるためには、ブロワの回転速度の高速化を制限せねばならない。
【０００３】
各ロータ両側の軸受のうち、外部から動力が伝達される入力側軸受の周りは、例えば駆動源としてのモータや伝動プーリの回転、伝動ベルトの走行による空気流が生じているので、その冷却性が比較的良好である。これに対し、上記ギヤ側軸受の周りには、上記プーリの回転等による空気の流れがないので、その冷却性が極めて悪く、このギヤ側軸受の温度上昇の度合いは入力側軸受よりも大きく、その冷却が要求される。
【０００４】
このようなロータの軸受を冷却する対策技術として、従来、ブロワとは別個に設けたファンにより送風して冷却する方法、ロータを収容するケーシング周りに冷却通路を張り巡らせて冷却水を循環させる方法が知られている。
【０００５】
しかし、このファンによる冷却方法では、その設置や運転のための費用が発生するとともに、設置スペースも大きくなる難がある。また、冷却水を用いる場合には、ブロワ本体の構造が複雑になり、コストアップや冷却水の供給の確保等の問題が生じる。
【０００６】
また、この他、特許文献１には、タイミングギヤを収容するギヤケース或いはモータを除くブロワ全体を防音箱で覆い、この防音箱をブロワの空気吸込口と消音器との間に接続して、消音器を出てブロワに吸い込まれる途中の空気によりタイミングギヤやギヤ側軸受を冷却することが提案されている。
【０００７】
また、特許文献２に示されるものでは、ギヤケースの外側に、ブロワの空気吸込口に連通する吸入通路をギヤケース内のギヤ室と隣接するように設け、この吸入通路を通ってブロワに吸い込まれる空気によりギヤ室内のギヤを冷却するようにしている。
【特許文献１】特開昭５７−１２４０９４号公報（特に第１図、第２図）
【特許文献２】実開昭６４−４１６８７号公報（特に第２図）
【発明の開示】
【発明が解決しようとする課題】
【０００８】
上記特許文献１及び特許文献２に示されるものでは、ファンにより冷却する場合のように、その設置や運転のための費用は不要である。
【０００９】
しかしながら、両特許文献のいずれも、ギヤケースの外側に空気通路を形成する必要があり、ブロワ本体の構造が複雑になって、その製造が面倒となる。そればかりでなく、空気がギヤケースやギヤ側軸受の一側を流れるだけであるので、その冷却効果が低いという問題があった。
【００１０】
本発明は斯かる諸点に鑑みてなされたもので、その目的は、ルーツブロワを含むルーツ型回転機械において、簡単な構造でもって、ギヤ側軸受及びギヤ機構を効率よく冷却できるようにして、構造の簡単化及び冷却性の向上を両立させることにある。
【課題を解決するための手段】
【００１１】
上記の目的を達成すべく、この発明では、ルーツ型回転機械の吸込口に接続されている吸込消音器の吸込用開口部に外部から吸い込まれる吸入空気流を利用し、その空気流をギヤ側軸受ケースないしギヤケースの周りを通過させるようにした。
【００１２】
具体的には、請求項１の発明は、入力側及びギヤ側軸受ケースを有するケーシング内に、該軸受ケースにおいて入力側及びギヤ側軸受により回転可能に支持された１対のロータが互いに噛み合わされて収容され、上記ケーシングのギヤ側軸受ケースに、上記両ロータを互いに反対方向に同期回転させるギヤ機構を収容するギヤケースが取り付けられ、上記１対のロータの反対方向の同期回転により、空気を空気吸込口からケーシング内に吸い込んで空気吐出口からケーシング外に吐出するルーツ型回転機械が前提である。
【００１３】
そして、上記空気吸込口には吸込消音器が接続され、この吸込消音器へ空気を吸い込むための吸込用開口部は、該吸込用開口部に吸い込まれる吸入空気流が上記ギヤ側軸受ケースないし上記ギヤケースの周りを通るように配置されていることを特徴とする。
【００１４】
上記の構成によると、ルーツ型回転機械の運転中、吸込消音器へ吸込用開口部から外部の空気が吸い込まれ、この消音器から出た空気は空気吸込口を経てケーシング内に吸い込まれた後、ケーシングから空気吐出口を経て吐出される。また、上記消音器により空気の吸込音が減衰される。上記吸込用開口部に吸い込まれる吸入空気流がギヤ側軸受ケースないしギヤケースの周りを通るように、その吸込用開口部が配置されているので、この流速を持った吸入空気流によりギヤ側軸受ケースないしギヤケースが冷却される。
【００１５】
このように吸込消音器の吸込用開口部に吸い込まれる吸入空気流がギヤ側軸受ケースないしギヤケースの周りを集中して流れることで、その吸入空気流によってギヤ側軸受ケースないしギヤケースの全体を周りから冷却することができ、ギヤ側軸受及びギヤ機構に対し高い冷却効果を得ることができる。
【００１６】
しかも、吸込消音器の吸込用開口部に吸い込まれる吸入空気流を積極的に利用して冷却することから、吸込消音器やその吸込用開口部のレイアウトを特定するだけでよく、従来のように、ギヤケース等の外側に空気通路を形成する必要はなく、ルーツ型回転機械の構造が簡単になって、その製造も容易となる。
【００１７】
請求項２の発明では、上記吸込用開口部は、消音器の吸込口とする。この発明でも、上記請求項１の発明と同様の作用効果が得られる。
【００１８】
請求項３の発明では、上記消音器の吸込口に、ギヤ側軸受ケースないしギヤケースを隙間をあけて覆うように吸込カバーが接続され、上記吸込用開口部は、上記吸込カバーの端部とする。
【００１９】
この発明でも、請求項１の発明と同様の作用効果が得られる。また、この発明のように、吸込用開口部を吸込カバーの端部とすれば、吸入空気流が吸込カバーにより案内されて、ギヤ側軸受ケースないしギヤケースの周りをより確実に流れるようになり、冷却性をさらに高めることができる。
【００２０】
請求項４の発明では、上記消音器がケーシングの上方に配置され、吸込用開口部は、ギヤ側軸受ケースないしギヤケースの上方に配置されて、空気を下方より吸い込むように構成されている。
【００２１】
このように吸込用開口部がギヤ側軸受ケースないしギヤケースの上方に配置されて、空気を下方より吸い込むようにすれば、ルーツ型回転機械の設置面積を小さく保ちながら、冷却性を高めることができる。
【発明の効果】
【００２２】
以上説明した如く、請求項１の発明によると、ルーツ型回転機械の吸込口に接続されている吸込消音器の吸込用開口部を、その開口部に吸い込まれる吸入空気流がギヤ側軸受ケースないしギヤケースの周りを通るように配置したことにより、吸込消音器の吸込用開口部に外部から吸い込まれる吸入空気流を旨く利用してギヤ側軸受ケースないしギヤケースを冷却することができ、簡単な構造でもって、軸受ケース内のギヤ側軸受及びギヤケース内のギヤ機構を効率よく冷却して、構造の簡単化及び冷却性の向上の両立を図ることができる。
【００２３】
請求項２の発明では、吸込用開口部は、消音器の吸込口とした。また、請求項３の発明では、消音器の吸込口に、ギヤ側軸受ケースないしギヤケースを隙間をあけて覆うように吸込カバーを接続して、この吸込カバーの端部を吸込用開口部とした。これら発明によると、請求項１の発明と同様に、構造の簡単化とギヤ側軸受及びギヤ機構の冷却性の向上との両立を図ることができる。特に、請求項３の発明によると、吸入空気流を吸込カバーにより案内して、ギヤ側軸受ケースないしギヤケースの周りをより一層確実に流すことができ、冷却性をさらに高めることができる。
【００２４】
請求項４の発明によると、消音器をケーシングの上方に配置し、吸込用開口部を、ギヤ側軸受ケースないしギヤケースの上方に配置して、この吸込用開口部に空気を下方より吸い込むようにしたことにより、ルーツ型回転機械の設置面積を小さく保ちながら、ギヤ側軸受及びギヤ機構の冷却性を高めることができる。
【発明を実施するための最良の形態】
【００２５】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２６】
（実施形態１）
図１〜図４は本発明の実施形態１に係るルーツブロワＡを示す。１はベースで、その上には前後方向（図１で左右方向、図３で上下方向）の回転軸心を持つブロワ本体３が設置され、このブロワ本体３の左隣（図２で左側）には同様に前後方向の回転軸心を持つモータ５が据付台７を介して設置されている。
【００２７】
上記ブロワ本体３は密閉状のケーシング９を備えている。図４に示すように、このケーシング９は、左右水平方向（図４で上下方向）の長径を持つ断面略長円形の筒状のケーシング本体１０と、このケーシング本体１０の前側（図４で左側）の開口部を気密状に閉塞して取り付けられた入力側軸受ケース１４と、ケーシング本体１０の後側（図４で右側）の開口部を気密状に閉塞して取り付けられたギヤ側軸受ケース１５とからなる。図１〜図３に示すように、ケーシング本体１０の上部に空気吸込口１１が、また下部に空気吐出口１２がそれぞれ形成されている。より詳しくは、空気吐出口１２は、ケーシング本体１０の下部から右側に延びるダクト部１２ａ内に開口している。また、入力側軸受ケース１４及びギヤ側軸受ケース１５にはそれぞれ２つの軸受孔１６，１６が水平左右方向に並んで開口されている。
【００２８】
上記ケーシング９内には１対の３葉型ロータ１８，１９、具体的にはモータ５に近い左側に位置する駆動ロータ１８と、モータ５から離れた右側に位置する従動ロータ１９とが水平に並んで収容されている。これら駆動ロータ１８及び従動ロータ１９はその前後両端から突出して延びる軸部１８ａ，１９ａを有する。
【００２９】
上記前側の軸部１８ａ，１９ａは上記ケーシング９の入力側軸受ケース１４における軸受孔１６，１６に挿通されてそれぞれ入力側軸受２１，２１により回転可能にかつ気密状に支持されている。一方、後側の軸部１８ａ，１９ａは、ギヤ側軸受ケース１５における軸受孔１６，１６に挿通されてそれぞれギヤ側軸受２２，２２により回転可能にかつ気密状に支持されている。そして、駆動ロータ１８及び従動ロータ１９はケーシング９内において互いに非接触状態で噛み合わされて収容されている。
【００３０】
上記駆動ロータ１８及び従動ロータ１９の各々の後側の軸部１８ａ，１９ａはそれぞれギヤ側軸受２２よりも突出するように後方に延び、その突出部には、タイミングギヤと称されるギヤ２４，２４が回転一体に固定されている。この両ギヤ２４，２４は互いに噛合しており、両ギヤ２４，２４により両ロータ１８，１９を互いに反対方向に同期回転させるギヤ機構２５が構成されている。
【００３１】
上記ギヤ側軸受ケース１５にはカップ状のギヤケース２７がその前端開口側のフランジ部２７ａをギヤ軸受ケース１５後端のフランジ部１５ａに突き合わせて液密状に取り付けられ、このギヤケース２７内部とギヤ側軸受ケース１５とにより区画される密閉空間に上記ギヤ機構２５が収容されている。この空間内にオイルが封入されて、このオイルに上記両ギヤ２４，２４がさらされるようになっている。
【００３２】
一方、上記入力側軸受ケース１４には板状の軸受カバー２９が入力側軸受２１及び従動ロータ１９の前側軸部１９ａ端面を隠蔽するように取り付けられている。この軸受カバー２９の左側には開口が形成され、この開口を通して駆動ロータ１８の前側軸部１８ａが軸受カバー２９よりも前側に突出し、この突出部に従動プーリ３１が回転一体に取付固定されている。
【００３３】
上記モータ５の出力軸５ａは前側に延び、この出力軸５ａには駆動プーリ３２が回転一体に取付固定されている。この駆動プーリ３２及び上記従動プーリ３１には伝動ベルト３３が巻き掛けられており、モータ５の回転力を駆動プーリ３２、ベルト３３及び従動プーリ３１を介して駆動ロータ１８に伝達して駆動ロータ１８を回転させるとともに、この回転力をギヤ機構２５を介して従動ロータ１９にも伝達して従動ロータ１９を回転させることにより、駆動ロータ１８及び従動ロータ１９を互いに反対方向に同期回転させ、空気を空気吸込口１１からケーシング９内に吸い込んだ後に空気吐出口１２からケーシング９外に吐出するようになっている。
【００３４】
上記ケーシング９の上方には、ケーシング９の空気吸込口１１に接続された吸込消音器３５が配置されている。この消音器３５は、図５及び図６にも示すように、上側に開口する有底円形箱状の消音器本体３６と、この消音器本体３６の開口を気密状に閉じる蓋部３７とからなる。消音器３５の内部は消音器本体３６内に水平に配置した隔壁３８によって上下２つの空間に仕切られている。上側空間には前側寄りに角筒状のフィルタ３９が隔壁３８と蓋部３７とに亘って配置され、このフィルタ３９により上側空間はフィルタ３９外の第１空間４０とフィルタ３９内の第２空間４１とに区画されている。隔壁３８の後端部には第１空間４０に臨む部分に、上下方向に延びる円筒状の吸込部４３の上端部が気密状に貫通され、この吸込部４３は下側空間を通りかつ消音器本体３６の下壁部後端を気密状に貫通してその外側に延びており、吸込部４３内に吸込通路４４が形成されている。
【００３５】
また、隔壁３８の前後中央の左右両側には第２空間４１に臨む部分に、上下方向に延びる２つの連通管４６，４６の上端部が気密状に貫通され、この各連通管４６の下端は下側空間に開口している。さらに、消音器本体３６の下壁部前端には上記連通管４６よりも前側位置に出口管４８が気密状に貫通され、この出口管４８の上端は下部空間に開口し、その高さ位置は連通管４６の下端よりも高く、換言すれば出口管４８の上端と連通管４６の下端とが水平方向から見てオーバーラップしている。そして、下側空間は膨張空間とされて、ここで吸込音を減衰させるようになっている。
【００３６】
また、蓋部３７の下面（内面）と、消音器本体３６の内周側面及び内底面のうち隔壁３８下側の下側空間に臨む部分とには、それぞれ吸音材４９が貼り付けられている。また、上記出口管４８の下端は消音器本体３６よりも下側に突出し、その下端部を、ケーシング９の空気吸込口１１周りに気密状に取り付けることで、消音器３５がケーシング９の空気吸込口１１に接続されている。以上により、消音器３５に対し空気が吸込部４３内の吸込通路４４を介して上部空間の第１空間４０に吸い込まれ、この空気がフィルタ３９を通って第２空間４１に流れた後、連通管４６，４６を通って下側空間に流れ、その下側空間の空気は出口管４８を経て消音器３５外に流出し、この空気がブロワ本体３におけるケーシング９の空気吸込口１１に吸い込まれるようになっている。
【００３７】
この実施形態１における発明の特徴として、上記吸込消音器３５の空気吸込口である、吸込部４３の下端部（吸入通路４４の上流端）は、その吸込消音器３５へ空気を吸い込むための吸込用開口部４５をなし、この吸込用開口部４５は、図１及び図３に示すように、上記ブロワ本体３のケーシング９におけるギヤ側軸受ケース１５とギヤケース２７との集合部分の略真上に位置していて、吸込用開口部４５に吸い込まれる吸入空気流がギヤ側軸受ケース１５ないしギヤケース２７の周りを集中的に通るようになっている。
【００３８】
上記吸込用開口部４５（吸込部４３の下端部）と、ギヤ側軸受ケース１５及びギヤケース２７の集合部分の上端部（詳しくは各々のフランジ部１５ａ，２７ａの上端）との隙間の距離Ｌは、上記消音器３５の出口管４８の内径Ｄの半分よりも短い（Ｌ＜Ｄ／２）ことが望ましい。さらに、この隙間を流れる空気の流速は１０ｃｍ／秒以上となることが望ましい。
【００３９】
尚、図１〜図３中、３４は駆動プーリ３２、従動プーリ３１及び伝動ベルト３３を覆うベルトカバーである。
【００４０】
したがって、この実施形態においては、ルーツブロワＡの運転状態で、モータ５の回転が駆動プーリ３２、伝動ベルト３３及び従動プーリ３１によってブロワ本体３の駆動ロータ１８に伝達されて、その駆動ロータ１８が回転する。また、この回転力がギヤ機構２５を介して従動ロータ１９に伝達されて従動ロータ１９も回転する。このことにより、駆動ロータ１８及び従動ロータ１９が互いに反対方向に同期回転し、空気が消音器３５を経て空気吸込口１１からケーシング９内に吸い込まれた後、その空気は空気吐出口１２からケーシング９外に吐出される。
【００４１】
上記消音器３５での空気の流れについて説明すると、空気が吸込部４３内の吸込通路４４を介して上部空間の第１空間４０に吸い込まれ、この空気はフィルタ３９を通って第２空間４１に流れた後、連通管４６，４６を通って下側空間に流れる。この下側空間に流れた空気は出口管４８を経て消音器３５外に流出し、この空気がブロワ本体３におけるケーシング９の空気吸込口１１に吸い込まれる。この消音器３５において、下側空間（膨張室）での空気の膨張や吸音材４９による吸音によって空気の吸込音が減衰されて消音されるとともに、空気中の埃等がフィルタ３９で除去される。
【００４２】
上記吸込部４３の下端部で、吸込消音器３５に空気を吸い込むための吸込用開口部４５は、ギヤ側軸受ケース１５とギヤケース２７との集合部分の略真上に位置しているので、この吸込用開口部４５に吸い込まれる吸入空気流はギヤ側軸受ケース１５ないしギヤケース２７の周りを流速を持って通ることとなる。具体的には、吸込用開口部４５に吸入される空気の大部分は、ギヤ側軸受ケース１５及びギヤケース２７の下側から該ギヤ側軸受ケース１５及びギヤケース２７の左右両側及び後側を通って吸込通路４４に導入される。また、一部は、ギヤ側軸受ケース１５及びギヤケース２７の上側を通って吸込通路４４に導入される。この流速を持った吸入空気流により、その空気とギヤ側軸受ケース１５ないしギヤケース２７との熱伝達が大幅に増大し、ギヤ側軸受ケース１５ないしギヤケース２７、従ってその内部のギヤ側軸受２２及びギヤ機構２５の冷却が促進される。
【００４３】
このように吸込消音器３５の吸込用開口部４５に吸い込まれる際に発生する吸入空気流（自吸空気流）がギヤ側軸受ケース１５ないしギヤケース２７の周りを集中的に流れ、その吸入空気流によってギヤ側軸受ケース１５ないしギヤケース２７の全体を周りから冷却するので、入力側軸受２１と同等の高い冷却効果を得ることができる。その結果、ルーツブロワＡの運転時の回転速度を増加させて吐出圧力を高くすることができ、ギヤ側軸受ケース１５内におけるギヤ側軸受２２のグリース等の潤滑剤の熱劣化等を抑制してその寿命を延ばすことができる。尚、ギヤ側軸受２２の潤滑剤を補給する場合には、その補給時期の間隔を長くすることができる。
【００４４】
しかも、吸込消音器３５の吸込用開口部４５に吸い込まれる吸入空気流だけで冷却を行うので、吸込消音器３５やその吸込用開口部４５のレイアウトを特定するだけでよく、従来のように、ギヤケース等の外側に空気通路を形成する必要はなく、ルーツブロワＡの構造が簡単になり、その製造も容易となる。
【００４５】
尚、外部から動力が伝達される入力側軸受ケース１４の周りは、伝動ベルト３３の走行や駆動及び従動プーリ３２，３１の回転による空気流が生じているので、この空気流によって入力側軸受ケース１４を良好に冷却して、入力側軸受２１の寿命を延ばすことができる。
【００４６】
（実施形態２）
図７は本発明の実施形態２を示し（尚、以下の各実施形態では、図１〜図６と同じ部分については同じ符号を付してその詳細な説明は省略する）、吸込カバーを設けたものである。
【００４７】
この実施形態では、図７に示すように、消音器３５の吸込部４３の下端に吸込カバー５３が一体的に設けられている。この吸込カバー５３は、矩形状の箱を半分割した形状のもので、ギヤ側軸受ケース１５ないしギヤケース２７の左右側方に位置する左右縦壁部５３ａと、ギヤケース２７の後方に位置する後縦壁部５３ｂと、これら両縦壁部５３ａ，５３ｂに連続し、吸込部４３の下端部が挿通された上壁部５３ｃとからなっていて、ギヤ側軸受ケース１５とギヤケース２７との集合部分を隙間をあけた状態で左右両側及び後側から覆うように配置されている。また、この吸込カバー５３の下端部（縦壁部５３ａ，５３ｂの下端部）はギヤ側軸受ケース１５及びギヤケース２７の上下略中央の高さ位置まで延びており、この吸込カバー５３の下端部（上流側端部）が吸込用開口部４５となっている。その他の構成は実施形態１と同様である。
【００４８】
したがって、この実施形態においても、実施形態１と同様の作用効果が得られる。特にこの実施形態の場合、消音器３５の吸込部４３の下端に吸込カバー５３が設けられ、その下端部が吸込用開口部４５であるので、消音器３５に吸い込まれる空気流が吸込カバー５３によりギヤ側軸受ケース１５及びギヤケース２７の周りにスムーズに案内される。すなわち、消音器３５の吸込用開口部４５に吸入される空気の大部分は、ギヤ側軸受ケース１５及びギヤケース２７の下側から、該ギヤ側軸受ケース１５及びギヤケース２７の左右両側及び後側と吸込カバー５３との間を通って吸込通路４４に導入される。また、一部は、ギヤ側軸受ケース１５及びギヤケース２７の上側を通って吸込通路４４に導入される。その結果、吸入空気がギヤ側軸受ケース１５ないしギヤケース２７の周りをより確実にかつスムーズに流れるようになり、その冷却性をさらに高めることができる。
【００４９】
（実施形態３）
図８は実施形態３を示し、図７における消音器３５の吸込部４３及び吸込カバー５３を兼用したものである。この実施形態では、消音器３５における消音器本体３６は半円筒形状に形成され、その後壁部は蓋部３７の後端よりも前側に位置して円形の一部を切り欠いた平面状となっている。また、この消音器本体３６の後部には半円状に折り曲げられた板状の吸込プレート５５が、その左右前端部を消音器本体３６の左右側壁に気密状に取付固定した状態で配置され、この吸込プレート５５の上端部は蓋部３７下面に気密状に当接している。
【００５０】
上記吸込プレート５５は、ギヤ側軸受ケース１５の前後略中央とギヤケース２７の全体とを後側から隙間をあけて覆うように下方に延び、その下端部はギヤ側軸受ケース１５及びギヤケース２７の上下略中央の高さ位置に位置しており、吸込プレート５５と消音器本体３６の後壁部との間に吸込通路４４が形成されている。
【００５１】
また、消音器本体３６下面の後端部には、ギヤ側軸受ケース１５及びギヤケース２７の各フランジ部１５ａ，２７ａの真上に位置する仕切板５６が垂下するように取付固定され、この仕切板５６の下端部とフランジ部１５ａ，２７ａとの間に所定の隙間が形成されている。この実施形態では、上記吸込プレート５５の下端及び仕切板５６の下端が吸込用開口部４５をなしている。その他は上記実施形態２と同様に構成されている。
【００５２】
この実施形態では、消音器３５に吸入される空気の大部分は、ギヤ側軸受ケース１５及びギヤケース２７の下側から、該ギヤ側軸受ケース１５及びギヤケース２７の左右両側及び後側と吸込プレート５５との間を通って吸込通路４４に導入される。また、一部は、ギヤ側軸受ケース１５の上側から仕切板５６の下端部とフランジ部１５ａ，２７ａとの間の隙間、つまりギヤ側軸受ケース１５及びギヤケース２７の上側を通って吸込通路４４に導入される。従って、この実施形態においても、消音器３５に吸入される空気がギヤ側軸受ケース１５及びギヤケース２７の周りを通過することとなり、上記実施形態２と同様の作用効果が得られる。
【００５３】
（その他の実施形態）
尚、上記実施形態では、消音器３５として円形箱状のものを採用しているが、消音器の構造は上記各実施形態のものに限定されない。
【００５４】
また、上記実施形態は、本発明をルーツブロワＡの冷却構造に適用したものであるが、本発明はルーツブロワＡ以外のルーツ型回転機械に適用することができる。
【産業上の利用可能性】
【００５５】
本発明は、容積式のルーツ型回転機械におけるロータの軸受を冷却する有効な対策として極めて有用であり、産業上の利用可能性が高い。
【図面の簡単な説明】
【００５６】
【図１】図１は、本発明の実施形態１に係るルーツブロワを一部を破断して示す側面図である。
【図２】図２は、ルーツブロワの正面図である。
【図３】図３は、ルーツブロワを消音器を取り外して示す平面図である。
【図４】図４は、ブロワ本体の断面図である。
【図５】図５は、図１の消音器のV−V線断面図である。
【図６】図６は、図１の消音器のVI−VI線断面図である。
【図７】図７は、本発明の実施形態２に係るルーツブロワを示す図１相当図である。
【図８】図８は、本発明の実施形態３に係るルーツブロワを示す図１相当図である。
【符号の説明】
【００５７】
Ａ  ルーツブロワ
３  ブロワ本体
５  モータ
９  ケーシング
１１  空気吸込口
１２  空気吐出口
１４  入力側軸受ケース
１５  ギヤ側軸受ケース
１８  駆動ロータ
１９  従動ロータ
２１  入力側軸受
２２  ギヤ側軸受
２４  ギヤ
２５  ギヤ機構
２７  ギヤケース
３５  吸込消音器
４３  吸込部
４４  吸込通路
４５  吸込用開口部
５３  吸込カバー
５５  吸込プレート
【図１】
2006329162.tif 000003
【図２】
2006329162.tif 000004
【図３】
2006329162.tif 000005
【図４】
2006329162.tif 000006
【図５】
2006329162.tif 000007
【図６】
2006329162.tif 000008
【図７】
2006329162.tif 000009
【図８】
2006329162.tif 000010